(57)【特許請求の範囲】
【請求項１】
有底筒状をなし一端が蚊取線香出し入れ用の開口部をなしている容器本体と、通気孔を有し前記容器本体の前記開口部に取り外し可能に取り付けられる蓋体と、共働して蚊取線香を挟持可能な一対の網体を有し前記容器本体内に収容されている蚊取線香保持部材と、前記容器本体の胴壁に形成された取り付け用孔を通して前記容器本体の内外に延出し前記取り付け用孔を中心として揺動可能に取り付けられている吊具とを有し、前記吊具は前記容器本体の内側に延出している部分の略先端部が前記蚊取線香保持部材と当接して前記蚊取線香保持部材を前記容器本体の前記開口部から押し出す位置まで揺動変位可能であることを特徴とする蚊取線香容器
【請求項２】
前記吊具は金属線材で構成されていることを特徴とする請求項１記載の蚊取線香容器
【発明の詳細な説明】
【０００１】
【発明の属する技術分野】
この発明は、着火した渦巻き状の蚊取線香を保持して燻蒸させる吊り下げ式の蚊取線香容器に関するものである。
【０００２】
【従来の技術】
蚊取線香を使用する場合に、着火した蚊取線香を燻蒸可能に保持する蚊取線香容器には定置式のものに対して、携帯式または吊下げ式のものがある。吊下げ式の蚊取線香容器としてはその一例として実公平２−６７９２号公報に記載されたものがある。
【０００３】
この従来の蚊取線香容器は図６、図７に示すように、皿状の容器本体１０２と通気孔１１２のある蓋体１０３（眼鏡蓋）とからなる容器の内部に２枚の耐熱性の網体１１４、１１５を入れ、２枚の網体１１４、１１５の間に着火した蚊取線香を入れるように構成されたものである。吊具１０５は図８、図９に示すように金属線を折り曲げて形成されて容器本体１０２に揺動可能に取り付けられている。
【０００４】
吊具１０５を容器本体１０２に取り付ける取り付け部の構造は、容器本体１０２に取り付け用孔１１１が貫通形成され、吊具１０５の両先端部が取り付け用孔１１１を通して容器本体１０２内に差し込まれ、かつ吊具１０５の外側に折れ曲がっている先端１２１ａ、１２１ｂが内側から容器本体１０２の胴部１０７に当たって容器本体１０２を吊り下げるものである。吊具１０５には必要に応じて吊り下げ補助具１２４が付着する。
【０００５】
【発明が解決しようとする課題】
しかるにこの従来の蚊取線香容器では、蚊取線香使用後は、灰を捨てる目的や網体を洗浄するために、網体を容器から取り出す必要があり、そのために容器本体から眼鏡蓋を取り外し、網体を取り出す操作が必要であるが、網体を手で掴み難いことがあるし、また網体が線香のヤニでこびりつき取り外し難いことなどの問題がある。このため蚊取線香使用後に網体を取り出すための機構も幾つか考えられたが、構造が複雑になったり、構成部品数が増加する結果になっている。この発明は上記のごとき事情に鑑みてなされたものであって、蚊取線香使用後の網体の取り出しが極めて容易であり、また、構造が簡単で、構成部品数が増加することのない蚊取線香容器を提供することを目的とするものである。
【０００６】
【課題を解決するための手段】
この目的に対応して、この発明の蚊取線香容器は、有底筒状をなし一端が蚊取線香出し入れ用の開口部をなしている容器本体と、通気孔を有し前記容器本体の前記開口部に取り外し可能に取り付けられる蓋体と、共働して蚊取線香を挟持可能な一対の網体を有し前記容器本体内に収容されている蚊取線香保持部材と、前記容器本体の胴壁に形成された取り付け用孔を通して前記容器本体の内外に延出し前記取り付け用孔を中心として揺動可能に取り付けられている吊具とを有し、前記吊具は前記容器本体の内側に延出している部分の略先端部が前記蚊取線香保持部材と当接して前記蚊取線香保持部材を前記容器本体の前記開口部から押し出す位置まで揺動変位可能であることを特徴としている。
【０００７】
【発明の実施の形態】
以下、この発明の詳細を一実施の形態を示す図面について説明する。図１及び図２において、１は蚊取線香容器である。蚊取線香容器１は容器本体２と、蓋体３と、蚊取線香保持部材４と、吊具５とを有している。容器本体２は底部６と胴部７を持つ有底円筒状をなし、一端が蚊取線香出し入れ用の開口部８をなしている。胴部７には胴壁を接線方向に貫通する吊具取り付け用孔１１が形成されている。
【０００８】
蓋体３は多数の通気孔１２を有し容器本体２の胴部７の内側に取り外し可能に嵌着して開口部８を閉じている。
【０００９】
蚊取線香保持部材４は、容器本体２内で共働して蚊取線香１３を挟持可能な一対の網体１４、１５からなっている。網体１４、１５は同じ構造で、ともに環状のフレーム１６に耐熱性の網部材１７を張設している。
【００１０】
吊具５は図３及び図４に示すように、下げ部１８と、吊り部２１ａ、２１ｂと、押し部２２とからなっている。下げ部１８は吊具５の上端に位置していて他の支持体（図示せず）に引っ掛けて吊り下げることができる形状をなしている。
【００１１】
吊り部２１ａ、２１ｂは容器本体２を懸垂支持する部分で、吊具５のほぼ中央部にあって下げ部１８の下端から左右に張り出している。一方の吊り部２１ａの先端からは押し部２２が下方に延長している。
【００１２】
押し部２２の先端２３までの押し部２２の吊り部２１ａからの長さはＬ２であって、この長さＬ２は吊り部２１ａ、２１ｂを中心軸として吊具５が揺動変位した時に押し部２２の先端２３が蚊取線香保持部材４に当接して蚊取線香保持部材４を容器本体２の開口部８から押し出すことができる長さである。
【００１３】
吊具５は容器本体２の胴壁に形成された取り付け用孔１１を通して容器本体に差し込まれ、下げ部１８が容器本体２の外側に位置し、吊り部２１ａ、２１ｂ及び押し部２２が容器本体２の内側に位置し、吊り部２１ａ、２１ｂが容器本体の胴部３に内側から接して容器本体２を懸垂支持した状態で容器本体２に取り付けられる。吊具５の下げ部１８にはさらに必要に応じて吊り下げ補助具２４が取り付けられる。
【００１４】
このように構成された蚊取線香容器１を使用する場合の操作は次のとおりである。着火した蚊取線香１３を一対の網体１４、１５の間に挟み容器本体２内に設置し、蓋体３を容器本体２に嵌合させて開口部８を閉じ、吊具５及び吊り下げ補助具２４を使用して他の支持体（図示せず）につり下げて使用する。
【００１５】
蚊取線香使用後に灰を捨てる目的や網体を洗浄するために、網体１４、１５を容器から取り出す場合には、まず容器本体２から蓋体３を取り外し、次に容器本体２の外に出ている吊具５の下げ部１８を摘んで開口部８の反対方向（図５の矢印ａ方向）に引く。吊具５は吊り部２１ａ、２１ｂを中心にして回転し押し部２２が開口部８の方向（図５の矢印ｂ方向）に回転変位し、先端２３が蚊取線香保持部材４に当接して蚊取線香保持部材４を容器本体２の開口部８から押し出す。これによって蚊取線香保持部材４を容器本体２から容易に取り出すことができる。
【００１６】
【発明の効果】
この発明の蚊取線香容器では、蚊取線香使用後の網体の取り出しが極めて容易である。しかもこの網体の取り出しのための機構が、もともと存在する吊具５を利用したものであるので、構造が簡単で、構成部品数が増加することがない。
【図面の簡単な説明】
図１  この発明の蚊取線香容器の一部断面正面図
図２  この発明の蚊取線香容器の一部断面側面図
図３  吊具の正面図
図４  吊具の側面図
図５  この発明の蚊取線香容器の使用状態の一部断面側面図
図６  従来の蚊取線香容器の一部断面正面図
図７  従来の蚊取線香容器の一部断面側面図
図８  従来の吊具の正面図
図９  従来の吊具の側面図
【符号の説明】
１    蚊取線香容器
２    容器本体
３    蓋体
４    蚊取線香保持部材
５    吊具
６    底部
７    胴部
８    開口部
１１    吊具取り付け用孔
１２    通気孔
１３    蚊取線香
１４    網体
１５    網体
１６    フレーム
１７    網部材
１８    下げ部
２１ａ  吊り部
２１ｂ  吊り部
２２    押し部
２３    先端
２４    吊り下げ補助具
【図１】
0003545176.tif 000002
【図２】
0003545176.tif 000003
【図３】
0003545176.tif 000004
【図４】
0003545176.tif 000005
【図５】
0003545176.tif 000006
【図６】
0003545176.tif 000007
【図７】
0003545176.tif 000008
【図８】
0003545176.tif 000009
【図９】
0003545176.tif 000010